(57)【要約】【課題】軽量化及び構造の簡素化を容易に図る。【解決手段】照明装置１は、長尺の基板２１及び基板２１の表面に実装された複数個のＬＥＤ２０を有するＬＥＤモジュール２を備える。照明装置１は、長尺の筒状に形成され、かつ、長手方向の端部のうちの少なくとも一方の端部が開放されているカバー３と、カバー３の開放された端部を密封するスペーサ４（第１スペーサ４Ａ）とを備える。ＬＥＤモジュール２Ａは、カバー３の長手方向に沿って移動可能にカバー３内に収容される。スペーサ４は、開放されている端部を密封した状態で基板２１の長手方向の端部と接触している。【選択図】        図６
2020113515.tif 000002
【特許請求の範囲】
【請求項１】
長尺の基板及び前記基板の表面に実装された複数個の固体発光素子を有する光源モジュールと、
長尺の筒状に形成され、かつ、長手方向の端部のうちの少なくとも一方の端部が開放されているカバーと、
前記カバーの開放された前記端部を密封するシール部材と、
を備え、
前記光源モジュールは、前記カバーの長手方向に沿って移動可能に前記カバー内に収容され、
前記シール部材は、開放されている前記端部を密封した状態で前記基板の長手方向の端部と接触している、
照明装置。
【請求項２】
開放されている前記端部に装着されるエンドキャップを備え、
前記エンドキャップは、前記カバーの長手方向に沿って前記シール部材に接触した状態で前記端部に装着される、
請求項１記載の照明装置。
【請求項３】
前記シール部材は、前記シール部材の外周面から突出して前記カバーの内壁面に押し当たる一つ以上の突起を有する、
請求項１又は２記載の照明装置。
【請求項４】
前記光源モジュールに給電するための口出し線を備え、
前記シール部材は、
前記口出し線が通される通路と、
前記通路に通された前記口出し線を気密状態で支持する支持部と、
を有する、
請求項１〜３のいずれか１項に記載の照明装置。
【請求項５】
互いにはまり合う凹部と凸部の一方が前記カバーに設けられ、前記凹部と前記凸部の他方が前記エンドキャップに設けられる、
請求項２記載の照明装置。
【請求項６】
前記カバーは、前記口出し線が引き出される開口部を有する、
請求項４記載の照明装置。
【発明の詳細な説明】
【技術分野】
【０００１】
本開示は、照明装置に関し、より詳細には、筒状の筐体内に固体光源を実装した基板を収容した照明装置に関する。
【背景技術】
【０００２】
従来例として、特許文献１記載の照明装置を例示する。特許文献１記載の照明装置（以下、従来例と呼ぶ。）は、直管形ＬＥＤランプと、直管形ＬＥＤランプを保持するソケットとを備えている。直管形ＬＥＤランプは、ケース、プリント基板、取付板、パッキン、蓋体を備えている。ケースは、透光性樹脂によって、両端が開放した筒状に形成されている。プリント基板は長尺の帯状に形成されている。プリント基板の一面に、複数のＬＥＤが直線上に並べて実装されている。ケースの内側面には、一対の凹部及び段部が形成されている。取付板は、金属平板によって長尺の帯状に形成されている。取付板の長手方向の両端部が折り曲げられることによって当接部が一つずつ設けられている。取付板は、表面にプリント基板を固定した状態で、ケースの一方の端部からケース内に収納される。
【０００３】
パッキンは、ケースの断面形状に一致する形状の平板状を呈し、ケースの両端部に配置される。パッキンは、その中央部に、ケース内に向かって突出した凸部を備えている。蓋体は、ケースの断面形状に一致する形状にプレス加工された金属板であり、パッキンを挟んでケースの両端部に固定される。
【０００４】
表面にプリント基板が固定された取付板をケース内に収納した後にケースの両端部に蓋体を固定すると、取付板の両端部に形成された当接部にパッキンの凸部が圧接する。これによって、取付板は、ケース内でパッキンの凸部の弾性力により、長手方向について両側から押圧された状態で浮動支持される。
【先行技術文献】
【特許文献】
【０００５】
【特許文献１】特開２０１５−１３３１７１号公報
【発明の概要】
【発明が解決しようとする課題】
【０００６】
上記従来例は、パッキンの凸部に当接する当接部を取付板に設ける必要があるため、取付板をなくして照明装置の軽量化及び構造の簡素化などを行うことが難しかった。
【０００７】
本開示の目的は、軽量化及び構造の簡素化を容易に図ることができる照明装置を提供することである。
【課題を解決するための手段】
【０００８】
本開示の一態様に係る照明装置は、長尺の基板及び前記基板の表面に実装された複数個の固体発光素子を有する光源モジュールと、長尺の筒状に形成され、かつ、長手方向の端部のうちの少なくとも一方の端部が開放されているカバーとを備える。前記照明装置は、前記カバーの開放された前記端部を密封するシール部材を備える。前記光源モジュールは、前記カバーの長手方向に沿って移動可能に前記カバー内に収容される。前記シール部材は、開放されている前記端部を密封した状態で前記基板の長手方向の端部と接触している。
【発明の効果】
【０００９】
本開示の照明装置は、軽量化及び構造の簡素化を容易に図ることができるという効果がある。
【図面の簡単な説明】
【００１０】
【図１】図１は、本開示の実施形態に係る照明装置の下面図である。
【図２】図２は、同上の照明装置の上面図である。
【図３】図３は、同上の照明装置の分解斜視図である。
【図４】図４は、同上の照明装置のスペーサ及びエンドキャップを外した状態の右側面図である。
【図５】図５Ａは、同上の照明装置の第１スペーサの正面図である。図５Ｂは、同第１スペーサの平面図である。図５Ｃは、同第１スペーサの下面図である。図５Ｄは、同第１スペーサの左側面図である。図５Ｅは、同第１スペーサの背面図である。
【図６】図６は、同上の照明装置の右端部を含む断面図である。
【図７】図７Ａは、同上の照明装置の第２スペーサの正面図である。図７Ｂは、同第２スペーサの平面図である。図７Ｃは、同第２スペーサの下面図である。図７Ｄは、同第２スペーサの左側面図である。図７Ｅは、同第２スペーサの背面図である。
【図８】図８は、同上の照明装置の左端部を含む断面図である。
【図９】図９は、同上の照明装置の左端部を含む断面図である。
【図１０】図１０Ａは、同上の照明装置のエンドキャップの正面図である。図１０Ｂは、同エンドキャップの平面図である。図１０Ｃは、同エンドキャップの下面図である。図１０Ｄは、同エンドキャップの左側面図である。図１０Ｅは、同エンドキャップの背面図である。
【図１１】図１１Ａは、同上の照明装置の右端部の下面図である。図１１Ｂは、同上の照明装置の右端部の前面図である。
【発明を実施するための形態】
【００１１】
本開示の実施形態に係る照明装置１について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１２】
実施形態に係る照明装置１（以下、照明装置１と略す。）は、図１ないし図３に示すように、ＬＥＤモジュール２と、カバー３と、スペーサ４とを備える。照明装置１は、エンドキャップ５と、口出し線６とを更に備える。なお、以下の発明において、特に断りのない限り、図１及び図３に矢印で示す方向を照明装置１の上下、左右及び前後の各方向と定義する。
【００１３】
照明装置１は、２個のＬＥＤモジュール２を備える。ただし、照明装置１が備えるＬＥＤモジュール２の個数は２個に限定されず、１個又は３個以上であっても構わない。なお、２個のＬＥＤモジュール２を第１のＬＥＤモジュール２Ａ及び第２のＬＥＤモジュール２Ｂと呼ぶ場合がある。
【００１４】
各ＬＥＤモジュール２は、左右方向を長手方向とする長尺の基板２１と、複数個のＬＥＤ（Light Emitting Diode）２０とを有する。複数個のＬＥＤ２０は、例えば、白色の光を放射する、いわゆるパッケージ型の照明用白色ＬＥＤである。ただし、ＬＥＤ２０は、ＣＯＢ（Chip on Boad）型の照明用白色ＬＥＤであってもよい。なお、基板２１に実装される固体発光素子はＬＥＤに限定されず、有機エレクトロルミネッセンス素子及び半導体レーザ素子のようなＬＥＤ以外の固体発光素子であってもよい。
【００１５】
これら複数個のＬＥＤ２０は、基板２１の表面（下面）における短手方向（前後方向）の中央において、基板２１の長手方向（左右方向）に沿って一列に並ぶように実装されている（図３参照）。これら複数個のＬＥＤ２０は、基板２１の表面（下面）に形成されているプリント配線により、互いに電気的に接続されている。さらに、第２のＬＥＤモジュール２Ｂの長手方向の一端（左端）の表面（下面）にレセプタクルコネクタ２２が実装されている（図３及び図４参照）。レセプタクルコネクタ２２は、前記プリント配線を介して複数個のＬＥＤ２０と電気的に接続されている。なお、第１のＬＥＤモジュール２Ａと第２のＬＥＤモジュール２Ｂは、それぞれの基板２１の裏面（上面）に実装されている中継コネクタ２３によって電気的に接続されている（図４参照）。第１のＬＥＤモジュール２Ａと第２のＬＥＤモジュール２Ｂは、それぞれの長手方向を一致させて直線状に連結されている（図３参照）。
【００１６】
口出し線６は、２本の電線と、２本の電線を被覆するシース６０と、２本の電線の第１端に電気的に接続されるプラグコネクタ６１と、２本の電線の第２端に電気的に接続される電源コネクタ６２とを有する（図３及び図４参照）。電源コネクタ６２が電源装置に電気的に接続され、電源装置から口出し線６を通してＬＥＤモジュール２に直流電流が供給される。
【００１７】
カバー３は、アクリル樹脂又はポリカーボネート樹脂などの透光性を有する合成樹脂により、長手方向（左右方向）の両端が開放された長尺の筒状に形成されている（図３参照）。カバー３は、第１壁３１、第２壁３２、第３壁３３及び第４壁３４を有する（図４参照）。第１壁３１は、長尺の平板状に形成され、カバー３の下側の壁を構成している（図３及び図４参照）。第２壁３２は、長尺の平板に形成され、カバー３の上側の壁を構成している。なお、第２壁３２の幅寸法（前後方向の長さ寸法）は、図４に示すように、第１壁３１の幅寸法よりも狭い（小さい）。
【００１８】
第３壁３３は、第１縦片３３１、第２縦片３３２及び連結片３３３を有する。第１縦片３３１の第１端（下端）が第１壁３１の前端と繋がっている。第２縦片３３２の第１端（上端）が第２壁３２の前端と繋がっている。連結片３３３は、第１縦片３３１の第２端（上端）と第２縦片３３２の第２端（下端）を連結している（図４参照）。第３壁３３は、カバー３の前側の壁を構成している。また、第１縦片３３１の内側面（後面）から突片３３４が突出している（図４参照）。突片３３４は、第１縦片３３１の長手方向（左右方向）に沿って連結片３３３と平行している。ここで、第１縦片３３１と連結片３３３と突片３３４に囲まれた空間を第１溝３３５と呼ぶ。
【００１９】
第４壁３４は、第１縦片３４１、第２縦片３４２及び連結片３４３を有する。第１縦片３４１の第１端（下端）が第１壁３１の後端と繋がっている。第２縦片３４２の第１端（上端）が第２壁３２の後端と繋がっている。連結片３４３は、第１縦片３４１の第２端（上端）と第２縦片３４２の第２端（下端）を連結している（図４参照）。第４壁３４は、カバー３の後側の壁を構成している。また、第１縦片３４１の内側面（前面）から突片３４４が突出している（図４参照）。突片３４４は、第１縦片３４１の長手方向（左右方向）に沿って連結片３４３と平行している。ここで、第１縦片３４１と連結片３４３と突片３４４に囲まれた空間を第２溝３４５と呼ぶ。
【００２０】
各ＬＥＤモジュール２は、基板２１の前端を第１溝３３５に挿入し、基板２１の後端を第２溝３４５に挿入するようにしてカバー３の内部に収容される（図４参照）。各ＬＥＤモジュール２の表面（基板２１の下面）がカバー３の第１壁３１と向き合っている。つまり、各ＬＥＤモジュール２（の複数個のＬＥＤ２０）から放射される光（白色の照明光）は、第１壁３１及び一対の第１縦片３３１、３４１を通してカバー３の外に出射される。ただし、第３壁３３及び第４壁３４は照明光を透過させなくてもよい。
【００２１】
スペーサ４は、カバー３の開放された左端部及び右端部のそれぞれを密封するシール部材である。スペーサ４は、シリコーン樹脂（シリコーンゴム）のように透光性及び柔軟性を有する材料で形成されることが好ましい。以下の説明においては、カバー３の右端部を密封するスペーサ４を第１スペーサ４Ａと呼び、カバー３の左端部を密封するスペーサ４を第２スペーサ４Ｂと呼ぶ場合がある（図３参照）。
【００２２】
第１スペーサ４Ａは、カバー３の右端部からカバー３内に挿入される。したがって、以下の説明において、カバー３内に挿入された状態における第１スペーサ４Ａの上下、左右及び前後の各方向と照明装置１の上下、左右及び前後の各方向が一致している（図５Ａ及び図５Ｄ参照）。
【００２３】
第１スペーサ４Ａは、図５Ａないし図５Ｅに示すように、本体４０Ａと、複数の突起４１Ａと、突台部４２Ａとを備える。本体４０Ａは、底面が逆Ｔ字形である柱状に形成されている（図５Ｅ参照）。本体４０Ａの前面及び後面のそれぞれに、一筋の溝４３Ａが左右方向に沿って形成されている（図５Ａ及び図５Ｄ参照）。複数（図示例では二つ）の突起４１Ａは、本体４０Ａの外周面における左端に設けられている。ただし、左側の突起４１Ａは、本体４０Ａのほぼ全周にわたって設けられているが、右側の突起４１Ａは、本体４０Ａの上面及び下面において部分的に途切れている（図５Ｂ及び図５Ｃ参照）。突台部４２Ａは、本体４０Ａの下面から下向きに突き出ている（図５Ａ及び図５Ｄ参照）。
【００２４】
第１スペーサ４Ａは、カバー３の右端部からカバー３内に挿入される。第１スペーサ４Ａの二つの突起４１Ａは、カバー３内に挿入された状態において、カバー３の内壁面に押されて変形する。その結果、カバー３の内壁面に突起４１Ａが密着することにより、カバー３の右端部が第１スペーサ４Ａによって密封（シール）される（図６参照）。さらに、第１スペーサ４Ａは、カバー３内において、第１のＬＥＤモジュール２Ａ（の基板２１）の右端に接触する。具体的には、第１スペーサ４Ａの本体４０Ａの左側面（接触面４００Ａ）に基板２１の右端が接触する（図６参照）。つまり、第１スペーサ４Ａは、カバー３の右端部を密封するだけではなく、第１のＬＥＤモジュール２Ａの右方向への移動を規制している。
【００２５】
第２スペーサ４Ｂは、カバー３の左端部からカバー３内に挿入される。したがって、以下の説明において、カバー３内に挿入された状態における第２スペーサ４Ｂの上下、左右及び前後の各方向と照明装置１の上下、左右及び前後の各方向が一致している（図７Ａ及び図７Ｄ参照）。
【００２６】
第２スペーサ４Ｂは、図７Ａないし図７Ｅに示すように、本体４０Ｂと、複数の突起４１Ｂと、円筒部４２Ｂとを備える。本体４０Ｂは、底面が逆Ｔ字形である柱状に形成されている（図７Ｅ参照）。複数（図示例では二つ）の突起４１Ｂは、本体４０Ｂの外周面における右端に設けられている（図７Ｄ参照）。
【００２７】
円筒部４２Ｂは、本体４０Ｂを左右方向に貫通している（図７Ａないし図７Ｅ及び図９参照）。円筒部４２Ｂは、大径部４２１Ｂ、小径部４２２Ｂ及び傾斜部４２３Ｂを有する（図９参照）。大径部４２１Ｂは、円筒部４２Ｂの右端に位置する。大径部４２１Ｂの内径は、口出し線６のシース６０の外径よりも大きい（図９参照）。小径部４２２Ｂは、円筒部４２Ｂの左端に位置する。小径部４２２Ｂの内径は、口出し線６のシース６０の外径よりも小さい（図９参照）。傾斜部４２３Ｂは、円筒部４２Ｂの左右方向の中央、すなわち、大径部４２１Ｂと小径部４２２Ｂの間に位置する。傾斜部４２３Ｂは、円すい台の側面に相当する形状に形成されている（図９参照）。つまり、傾斜部４２３Ｂの内周面は、大径部４２１Ｂから小径部４２２Ｂにかけて傾斜している（図９参照）。
【００２８】
第２スペーサ４Ｂは、カバー３の左端部からカバー３内に挿入される。第２スペーサ４Ｂの二つの突起４１Ｂは、カバー３内に挿入された状態において、カバー３の内壁面に押されて変形する（図８及び図９参照）。その結果、カバー３の内壁面に突起４１Ｂが密着することにより、カバー３の左端部が第２スペーサ４Ｂによって密封（シール）される（図８参照）。さらに、第２スペーサ４Ｂは、カバー３内において、第２のＬＥＤモジュール２Ｂ（の基板２１）の左端に接触する。具体的には、第２スペーサ４Ｂの本体４０Ｂの右側面（接触面４００Ｂ）に基板２１の左端が接触する（図８参照）。つまり、第２スペーサ４Ｂは、カバー３の左端部を密封するだけではなく、第２のＬＥＤモジュール２Ｂの左方向への移動を規制している。
【００２９】
ここで、円筒部４２Ｂに口出し線６が通される。つまり、円筒部４２Ｂが口出し線６の通路となる。円筒部４２Ｂの小径部４２２Ｂの内径が口出し線６のシース６０の外径よりも小さいので、円筒部４２Ｂに通されたシース６０が小径部４２２Ｂに圧迫される。その結果、シース６０の表面と小径部４２２Ｂの内周面が密着し、カバー３の左端部を密封した状態で口出し線６をカバー３の外に引き出すことができる（図９参照）。つまり、照明装置１においては、円筒部４２Ｂの小径部４２２Ｂ（支持部）によって口出し線６（のシース６０）を気密状態で支持している。
【００３０】
しかして、二つのスペーサ４がカバー３の右端部及び左端部を密封し、かつ、カバー３内に収容されているＬＥＤモジュール２の移動を規制する。そのため、照明装置１は、特許文献１記載の従来例に比べて、パッキンの凸部に当接する当接部を備えた取付板が不要となるので、軽量化及び構造の簡素化を容易に図ることができる。
【００３１】
さらに、カバー３の右端部及び左端部にエンドキャップ５が一つずつ装着される（図１ないし図３参照）。したがって、以下の説明において、カバー３の左端部及び右端部にそれぞれ一つずつ装着されたエンドキャップ５の上下、左右及び前後の各方向と照明装置１の上下、左右及び前後の各方向が一致している（図１０Ａ及び図１０Ｄ参照）。
【００３２】
エンドキャップ５は、図１０Ａないし図１０Ｅに示すように、エンド板５０、底板５１、一対の側板５２、舌片５３、三つの凸部５４、二対の補強片５５及び一対の突片５６を有する。エンドキャップ５は、例えば、アクリル樹脂又はポリカーボネート樹脂などの透光性を有する合成樹脂材料で形成されることが好ましい。
【００３３】
エンド板５０は、逆Ｔ字形の平板状に形成されている（図１０Ｅ参照）。底板５１は、先端（右端）が開口したＵ字形状の溝５１０を有し、エンド板５０の裏面（右側面）の上部からエンド板５０の厚み方向と平行に突き出ている（図１０Ｂ参照）。
【００３４】
一対の側板５２は、エンド板５０の裏面（右側面）の前部及び後部からエンド板５０の厚み方向と平行に突き出ている（図１０Ｃ参照）。なお、一対の側板５２は、互いに鏡像の関係にある。一対の側板５２のうち、底板５１の前方に位置する側板５２の上端が底板５１の上端と繋がっている。また、一対の側板５２のうち、底板５１の後方に位置する側板５２の上端が底板５１の上端と繋がっている。各側板５２には、先端（右端）が開口したＪ字形状の溝５２０が形成されている（図１０Ｄ参照）。また、前方の側板５２の後面及び後方の側板５２の前面のそれぞれの上部にリブ５７が一つずつ設けられている。これら二つのリブ５７は角柱状に形成され、かつ、底板５１と平行するように各側板５２から突き出ている（図１０Ａ参照）。さらに、前方の側板５２の後面及び後方の側板５２の前面のそれぞれの下部に突片５６が一つずつ繋がっている。各突片５６は、先端（右端）に向かって徐々に幅細になる板状に形成されている（図１０Ｃ参照）。
【００３５】
舌片５３は、長方形の平板状に形成されている（図１０Ａ及び図１０Ｃ参照）。舌片５３は、エンド板５０の裏面（右側面）の下部からエンド板５０の厚み方向と平行に突き出ている（図１０Ａないし図１０Ｄ参照）。すなわち、舌片５３は、エンド板５０に対して上下方向（舌片５３の厚み方向）にたわみ可能である。
【００３６】
二対の補強片５５は、台形の平板状に形成されている（図１０Ｃ参照）。各補強片５５は、側板５２及びエンド板５０と繋がっている。すなわち、側板５２は、一対の補強片５５によって補強されている（図１０Ａ、図１０Ｃ及び図１０Ｄ）。
【００３７】
三つの凸部５４は、一対の側板５２及び舌片５３にそれぞれ一つずつ設けられている（図１０Ａ、図１０Ｃ及び図１０Ｄ参照）。これら三つの凸部５４は、斜切円柱状に形成されている。それぞれの凸部５４の底面は、カバー３の端部に対するエンドキャップ５の挿入方向（左方向又は右方向）に傾いている（図１０Ｃ及び図１０Ｄ参照）。
【００３８】
ここで、カバー３の長手方向の両端部（右端部及び左端部）において、第１壁３１、第３壁３３及び第４壁３４のそれぞれに、貫通孔からなる凹部３１０、３３６が一つずつ設けられている（図１１Ａ及び図１１Ｂ参照）。エンドキャップ５がカバー３の端部に装着されると、カバー３の第１壁３１の凹部３１０にエンドキャップ５の舌片５３に設けられた凸部５４がはまる（図９及び図１１Ａ参照）。また、カバー３の第３壁３３の凹部３３６及び第４壁３４の凹部のそれぞれに、一対の側板５２に設けられた凸部５４が一つずつはまる（図１１Ｂ参照）。その結果、三つの凸部５４と三つの凹部３１０、３３６が一つずつはまり合うことにより、エンドキャップ５がカバー３の端部から抜け落ちにくくなる。ただし、凹部３１０、３３６は、貫通孔に限定されず、凸部５４とはまり合う凹みであればよい。また、カバー３に凸部が設けられ、エンドキャップ５に凹部が設けられても構わない。
【００３９】
次に、照明装置１の組立手順について説明する。まず、組立作業を行う作業者は、第２スペーサ４Ｂの円筒部４２Ｂに口出し線６を通した後、口出し線６のプラグコネクタ６１を第２のＬＥＤモジュール２Ｂのレセプタクルコネクタ２２に接続する（図４参照）。続いて、作業者は、ＬＥＤモジュール２（第１のＬＥＤモジュール２Ａ及び第２のＬＥＤモジュール２Ｂ）の基板２１の前端及び後端をカバー３の左端部から第３壁３３の第１溝３３５及び第４壁３４の第２溝３４５に挿入する（図４参照）。そして、作業者は、カバー３の左端部から第２スペーサ４Ｂをカバー３内に押し込む（図９参照）。さらに、作業者は、カバー３の右端部から第１スペーサ４Ａをカバー３内に押し込む（図６参照）。このような手順でＬＥＤモジュール２（第１のＬＥＤモジュール２Ａ及び第２のＬＥＤモジュール２Ｂ）がカバー３に収容される。
【００４０】
続いて、作業者は、カバー３の第２壁３２の左端部に設けられたＵ字形状の開口部３２０に口出し線６を挿入した後、カバー３の左端部にエンドキャップ５を装着する（図８及び図９参照）。ここで、凸部５４の底面がカバー３の端部に対するエンドキャップ５の挿入方向に傾いている。そのため、作業者がカバー３の左端部からエンドキャップ５を挿入する際、カバー３の左端部の縁に凸部５４の底面が当たることで舌片５３が上向きに撓む。その結果、作業者は、エンドキャップ５をカバー３の端部にスムーズに装着することができる。カバー３の左端部に装着されたエンドキャップ５は、一対の側板５２の先端部分５２１を第２スペーサ４Ｂの本体４０Ｂに接触させる（図８参照）。すなわち、カバー３の左端部にエンドキャップ５が装着されることにより、カバー３の左端部が塞がれ、かつ、カバー３の長手方向に沿った第２スペーサ４Ｂの移動が規制される。
【００４１】
最後に、作業者は、カバー３の右端部にエンドキャップ５を装着する（図６参照）。カバー３の右端部に装着されたエンドキャップ５は、一対の側板５２の先端部分５２１を第１スペーサ４Ａの本体４０Ａに接触させる（図６参照）。すなわち、カバー３の右端部にエンドキャップ５が装着されることにより、カバー３の右端部が塞がれ、かつ、カバー３の長手方向に沿った第１スペーサ４Ａの移動が規制される。
【００４２】
以上のような手順で照明装置１の組立作業が完了する。ただし、上述した手順は一例であり、幾つかの作業の手順を入れ替えることも可能である。
【００４３】
上述のように第１の態様に係る照明装置（１）は、長尺の基板（２１）及び基板（２１）の表面に実装された複数個の固体発光素子（ＬＥＤ２０）を有する光源モジュール（ＬＥＤモジュール２）を備える。第１の態様に係る照明装置（１）は、長尺の筒状に形成され、かつ、長手方向の端部のうちの少なくとも一方の端部が開放されているカバー（３）と、カバー（３）の開放された端部を密封するシール部材（スペーサ４）とを備える。光源モジュールは、カバー（３）の長手方向に沿って移動可能にカバー（３）内に収容される。シール部材は、開放されている端部を密封した状態で基板（２１）の長手方向の端部と接触している。
【００４４】
第１の態様に係る照明装置（１）は、シール部材によってカバー（３）の開放された端部を密封し、かつ、カバー（３）内に収容された光源モジュールの移動を規制するので、従来例に比べて、軽量化及び構造の簡素化を容易に図ることができる。
【００４５】
第２の態様に係る照明装置（１）は、第１の態様との組合せにより実現され得る。第２の態様に係る照明装置（１）は、開放されている端部に装着されるエンドキャップ（５）を備えることが好ましい。エンドキャップ（５）は、カバー（３）の長手方向に沿ってシール部材に接触した状態で端部に装着されることが好ましい。
【００４６】
第２の態様に係る照明装置（１）は、エンドキャップ（５）によってカバー（３）の端部を塞ぎ、かつ、カバー（３）の長手方向に沿ったシール部材の移動を規制することができる。
【００４７】
第３の態様に係る照明装置（１）は、第１又は第２の態様との組合せにより実現され得る。第３の態様に係る照明装置（１）において、シール部材は、シール部材の外周面から突出してカバー（３）の内壁面に押し当たる一つ以上の突起（４１Ａ、４１Ｂ）を有することが好ましい。
【００４８】
第３の態様に係る照明装置（１）は、シール部材の突起（４１Ａ、４１Ｂ）をカバー（３）の内壁面に押し当てることによって内壁面とシール部材の間の隙間を塞いでカバー（３）の端部を密封することができる。
【００４９】
第４の態様に係る照明装置（１）は、第１〜第３の態様のいずれかとの組合せにより実現され得る。第４の態様に係る照明装置（１）は、光源モジュールに給電するための口出し線（６）を備えることが好ましい。シール部材は、口出し線（６）が通される通路（円筒部４２Ｂ）と、通路に通された口出し線（６）を気密状態で支持する支持部（小径部４２２Ｂ）とを有することが好ましい。
【００５０】
第４の態様に係る照明装置（１）は、カバー（３）の内部を気密状態に保ったまま口出し線（６）をカバー（３）の外に引き出すことができる。
【００５１】
第５の態様に係る照明装置（１）は、第２の態様との組合せにより実現され得る。第５の態様に係る照明装置（１）において、互いにはまり合う凹部（３１０、３３６）と凸部（５４）の一方がカバー（３）に設けられることが好ましい。凹部（３１０、３３６）と凸部（５４）の他方がエンドキャップ（５）に設けられることが好ましい。
【００５２】
第５の態様に係る照明装置（１）は、凹部（３１０、３３６）と凸部（５４）をはめ合わせることによって、カバー（３）に対するエンドキャップ（５）の抜け止めを図ることができる。
【００５３】
第６の態様に係る照明装置（１）は、第４の態様との組合せにより実現され得る。第６の態様に係る照明装置（１）において、カバー（３）は、口出し線（６）が引き出される開口部（３２０）を有することが好ましい。
【００５４】
第６の態様に係る照明装置（１）は、開口部（３２０）を通して口出し線（６）をカバー（３）の外にスムーズに引き出すことができる。
【符号の説明】
【００５５】
１  照明装置
２  ＬＥＤモジュール（光源モジュール）
３  カバー
４  スペーサ（シール部材）
４Ａ  第１スペーサ（シール部材）
４Ｂ  第２スペーサ（シール部材）
５  エンドキャップ
６  口出し線
２０  ＬＥＤ（固体発光素子）
２１  基板
４１Ａ  突起
４１Ｂ  突起
４２Ｂ  円筒部
５４  凸部
３１０  凹部
３２０  開口部
３３６  凹部
４２２Ｂ  小径部（支持部）
【図１】
2020113515.tif 000003
【図２】
2020113515.tif 000004
【図３】
2020113515.tif 000005
【図４】
2020113515.tif 000006
【図５】
2020113515.tif 000007
【図６】
2020113515.tif 000008
【図７】
2020113515.tif 000009
【図８】
2020113515.tif 000010
【図９】
2020113515.tif 000011
【図１０】
2020113515.tif 000012
【図１１】
2020113515.tif 000013